(57)【要約】【課題】  この発明は、車椅子の利用者に介護者が立った状態でも簡単かつ容易にしかも素早く短時間で腰回りから足元までの下半身への着装が容易である車椅子用膝掛けを提供するものである。【解決手段】  この発明に係る車椅子用膝掛けは、腹部から足元に向かって伸びて身体の下半身を覆う程度の広がりをもった略シート状の前身頃部１と、この前身頃部１の両側に連続される脇カバー２と、前記前身頃部１と脇カバー２の終端に一体的に形成されて、車椅子７の踏み板８の裏面側に位置される足カバー３とより構成され、該足カバー３には保形性を有する芯板５が着脱可能に取り付けられている。【選択図】      図１
2006249640.tif 000002
【特許請求の範囲】
【請求項１】
腰回りから足先まで伸びる前身頃部の両側には脇カバーを、またこの脇カバーと前記前身頃部の終端には車椅子の先端側に設けられる踏み板の裏面側に位置される足カバーを一体的に形成してなることを特徴とする車椅子用膝掛け。
【請求項２】
前記足カバーは、保形性を有する芯板を着脱可能に取り付けてなることを特徴とする請求項１記載の車椅子用膝掛け。
【請求項３】
前記前身頃部の上端側には車椅子への止着手段を形成してなる請求項１および２のいずれかに記載の車椅子用膝掛け。
【発明の詳細な説明】
【技術分野】
【０００１】  本発明は、雨具あるいは防寒具として車椅子に腰掛けている身障者や老齢者等に利用される、主として膝から足先の下半身を保護する車椅子用膝掛けに関する。
【背景技術】
【０００２】  従来、車椅子を利用する身障者や老齢者のとくに膝下の足回りを保護する防寒用や雨具としてのコートは種々のものがある。【０００３】  すなわち、車椅子に背もたれカバー、座面カバーおよび足カバーをそれぞれ分離可能に着脱可能に取り付けたものがある（例えば、特許文献１参照。）。【０００４】  また、前身頃と後身頃から構成され、脇を縫い合せ、足元をすっぽりと包み込むため後ろ身頃に開口部をそれぞれ有したものがある（例えば、特許文献２参照。）。【０００５】
【特許文献１】登録実用新案第３０５３４６９号公報
【特許文献２】特開２００１−４０５１０号公報
【発明の開示】
【発明が解決しようとする課題】
【０００６】  しかしながら、従来主として車椅子の利用者のための防寒用および防雨用を目的とした車椅子用膝掛けは、予め車椅子に各要素に分離したものを取り付けられていたため、身体を部分的に保護するには適していたものの接続部分から風や雨が進入したり、あるいは、完全を期したりするときはその装着に時間が掛かり、また、車椅子に乗っているときのみしか利用できなかった。
また、全身を被覆する雨衣は上半身の着用に重点が置かれ、足元を包み込む程度のものに過ぎず、また着装が煩雑であり、車椅子利用者の下半身の動きを規制していた。【０００７】  本発明の目的は、車椅子の利用者である自立を目指す身障者や老齢者が自身で容易に着用され、さらには、介護者が着装するときでも簡単かつ容易にしかも素早く短時間で腰回りから足元までの下半身への着装することができ、しかも上半身を保護する雨具あるいは防寒具と併用することが可能な車椅子用膝掛けを提供するものである。
【課題を解決するための手段】
【０００８】  上記目的を達成するため、本発明に係る車椅子用膝掛けは、腰回りから足先までの下半身の前部を被覆するシート状の前身頃部の両側には側部とくに腰から脹脛の脇部分を被覆する脇カバーを、またこの脇カバーと前記前身頃部の終端には踏み板の裏面側に位置して足元を保護する足カバーを一体的に形成してなることを特徴とするものである。【０００９】  さらに、前記足カバーは、保形性を有する芯板を着脱可能に取り付けてなることを特徴とするものである。【００１０】  さらに、前記前身頃部の上端側には車椅子への止着手段を形成してなることを特徴とするものである。
【発明の効果】
【００１１】  上記の構成を有する本発明に係る車椅子用膝掛けによれば、前身頃部および脇カバーによって、使用時、外部に露呈される腹部から足先までの下半身を覆い、かつ、足元部は前身頃部および脇カバーと連続される袋状に形成されて踏み板を被覆する足カバーを有することにより、とくに、足元部における不意の剥がれや捲れが防止されて、風や寒さに敏感な足元回りを十分に保護することができるものである。【００１２】  さらに、車椅子に乗った状態においても、足カバーを踏み板に被せて、前身頃部で腰回りから下の下半身を覆い、前身頃部の上端側に設けた止着手段を介して、車椅子の肘掛部へ係止することによりきわめて容易に装着され、介護者が立ったままの状態での操作で、簡便に、しかも素早く装着され、風雨等の緊急時あるいは短時間の装着に適したものであり、また、介護者の手を煩わせることなく、自立を目指す障害者や足腰の弱った高齢者でも足カバーを踏み板に被せて、車椅子に乗って前身頃部を被覆すればよく、自身でも装着を可能とすることができるものである。【００１３】  さらに、その主体部分である前身頃部と脇シートが、腰回りから足元まで伸びて身体の前部分や脇部分を覆う程度の広がりをもったシート状に形成され、雨や風が当たり易い前部に切り込み部や合せ面がなく、内部に雨の雫や風が侵入されず、防水および保温を保って身体とくに下半身を雨や風から保護することができるものである。【００１４】  さらに、車椅子のみでの利用や屋外での使用のみならず、室内の中で椅子に腰掛けているときにも容易に利用することができ、また撥水性や保温性をもった材料を用いて防寒具や雨具として利用する以外、その使用材料を選定することにより、四季折々の気候に適合した膝掛けとして利用できることができる。【００１５】  さらに、比較的痛みや損傷が生じやすい足回りを、前身頃部と脇シートと一体的に連続され、略直角状に折り返して車椅子の先端側に設けられる踏み板の裏面側に位置することによって、足カバーの損傷を防止して耐久性を高め、足元付近の捲りあがりや摺れによる風や雨の進入を防ぐことができる。【００１６】  さらに、この足カバーには芯板を着脱可能に取り付けることによって、介護者の装着のみならず使用者自身での装着を可能とすることができる。【００１７】  さらに、前身頃、脇カバーおよび足カバーを縫合等の手段で一体的に連続される単純な構造体を採用することにより、裁断、縫合等の製造工程を簡易化してコストを低減し、また、使用する素材を幅広く選定して製造することができる。【００１８】  さらに、下半身の防寒具および雨具としての膝掛けとして、単体で使用する以外上半身の被覆を目的とした保護シートと併用することにより、上半身を含めた身体全体を風雨や寒さから保護することができる。
【発明を実施するための最良の手段】
【００１９】  図１は、本発明に係る車椅子用膝掛けを裏面側から見た略示図であり、図２は、車椅子の踏み板への足カバーの取り付け状態を示す部分略示図であり、図３は車椅子への装着状態を示す略示図である。
【００２０】  本発明に係る車椅子用膝掛けは、高い撥水性と防汚性を有し、かつ保温性に優れた素材を用いて製せられるもので、腰回りから足元に向かって伸びて身体の下半身の前部を覆う程度の広がりをもった略シート状の前身頃部１と、下半身の脇部分を被覆するよう前記前身頃部１の横方向に一体的に拡張される脇カバー２と、前記前身頃部１と脇カバー２の下端に一体的に形成される足カバー３とより構成されている。
【００２１】  前記足カバー３は、図２及び図３に示すように、前身頃部１と脇カバー２の下端に一体的に略直角状に形成されて、車椅子７の先端側に設けられる踏み板８の裏面側に位置され、この足カバー３には、保持部４を設けて保形性を有する芯板５を着脱可能に取り付けることにより、車椅子７の利用者が単独での装着を可能としているものである。
【００２２】  前記前身頃部１の上端側すなわち車椅子７の肘掛け部９付近に位置される部位には、ベルトと面ファスナーからなる止着手段６が形成され、車椅子７の肘掛け部９に着脱可能に卷回支持されて、車椅子７での使用に際し装着した際前身頃部１が、不必要に搖動したり、空間が生じて妄りに風雨が侵入したりすることを防止している。
【００２３】  なお、この止着手段６は、ベルトと面ファスナーから形成されて、肘掛け部９に卷回状に張着するものに限らず、容易に取り付けられかつ着脱可能であればよい。
【００２４】  前身頃部１、脇カバー２および足カバー５の外縁は、縁取り１０が形成されて、端部の変形や当接や擦過による損傷を防止している。
【００２５】  本発明に係る車椅子用肘掛けは、主として下半身の防寒具および雨具としての膝掛けとして、単体で使用する場合について説明したが、本出願人が先に出願した特願２００３−３４３７６３号の車椅子用のレインコート、および特願２００４−３５０４３６号のコートおよびそれに類する着衣に記載された主に上半身の被覆を目的とした保護シート１１と適宜連結手段を用いて併用することにより、上半身を含めた身体全体を風雨や寒さから保護することができるものである。
【００２６】  さらに、風や雨を通さない堅牢な素材を用いて、主として車椅子用の降雨の際のレインコートとして、また防寒用のコートとして用いられる以外、素材やデザイン種々変更することにより屋外用としてばかりでなく、部屋の中とくに椅子に腰掛けたり、座ったりした状態での簡便な膝掛けとしても、また四季の気候に対応した膝掛けしても利用されるものである。
【００２７】  さらに、前身頃部１の裏側には、保温性に優れた布地を裏地として張着したり、また、この裏地を着脱可能にしたりすることにより、また、脇カバー２を背中側に向かって拡大することにより、幅広く身体とくに下半身を保護することができる（図示せず）。
【００２８】  また、柔軟性を有する布地を用いるため不使用時には折り畳んだ状態で袋等に収納して車椅子等に保管しておき、着装を要する際には袋等から速やかに取り出して使用に供されるものである。
【００２９】  また、前身頃部１は走行中の安全等を考慮して色彩を選定したり、模様や図形その他の装飾手段を施したり、その他小物入れ等の取付け等は任意に行うことができる。
【図面の簡単な説明】
【００３０】
【図１】  本発明に係る車椅子用膝掛けの裏面側を示す略示図である。
【図２】  車椅子の踏み板への足カバーの取り付け状態を示す部分略示図である。
【図３】  車椅子への装着状態を示す略示図である。
【図４】  上半身の保護シートを併用した例を示す略示図である。
【符号の説明】
【００３１】      １        前身頃部
２        脇カバー
３        足カバー
４        保持部
５        芯板
６        止着手段
７        車椅子
８        踏み板
９        肘掛け部
１０      縁取り
１１      保護シート
【図１】
2006249640.tif 000003
【図２】
2006249640.tif 000004
【図３】
2006249640.tif 000005
【図４】
2006249640.tif 000006